(57)【要約】【課題】搬送ベルトと単一の中間転写ベルトのみとで記録媒体を挟む構成に比べ、第一中間転写ベルトと第二中間転写ベルトとの間の空間を小さくしながら、記録媒体に複数個所で画像を転写可能な画像形成装置を提供する。【解決手段】画像形成装置は、縦方向に延びる搬送経路に沿って配置され、記録媒体の片面に接触して該記録媒体を搬送する搬送ベルトと、前記搬送ベルトとで記録媒体を挟み且つ該記録媒体に画像が転写される第一中間転写ベルトと、前記第一中間転写ベルトの上側に配置され、前記第一中間転写ベルトと前記搬送ベルトとで挟まれた状態の記録媒体を該搬送ベルトとで挟み且つ該記録媒体に画像が転写される第二中間転写ベルトと、を備える。【選択図】図２
2020046554.tif 000002
【特許請求の範囲】
【請求項１】
縦方向に延びる搬送経路に沿って配置され、記録媒体の片面に接触して該記録媒体を搬送する搬送ベルトと、
前記搬送ベルトとで記録媒体を挟み且つ該記録媒体に画像が転写される第一中間転写ベルトと、
前記第一中間転写ベルトの上側に配置され、前記第一中間転写ベルトと前記搬送ベルトとで挟まれた状態の記録媒体を該搬送ベルトとで挟み且つ該記録媒体に画像が転写される第二中間転写ベルトと、
を備える画像形成装置。
【請求項２】
前記第一中間転写ベルトを有する第一画像形成部と、
前記第一画像形成部の上側に配置され、前記第二中間転写ベルトを有する第二画像形成部と、
を備え、
前記第一画像形成部の上端は、前記第二画像形成部と水平方向視にて重なっている
請求項１に記載の画像形成装置。
【請求項３】
前記第一画像形成部は、前記第一中間転写ベルトの上側に配置された回路基板を有し、
前記回路基板の上端は、前記第二画像形成部と水平方向視にて重なっている
請求項２に記載の画像形成装置。
【請求項４】
前記第一中間転写ベルトと、前記第二中間転写ベルトとは、前記搬送ベルトの前記記録媒体との接触面に対して同じ方向へ傾斜している
請求項１〜３のいずれか１項に記載の画像形成装置。
【請求項５】
前記第一中間転写ベルトの下端及び、前記第二中間転写ベルトの上端は、前記搬送ベルトの上下方向の高さ内に配置されている
請求項４に記載の画像形成装置。
【請求項６】
前記第一中間転写ベルト及び前記第二中間転写ベルトの各々が巻き掛けられた一対のロールであって、該中間転写ベルトを介して前記搬送ベルトに対向する第一ロールと、該第一ロールに対する前記搬送ベルト側とは反対側に配置された第二ロールと、で構成される前記一対のロールを備える
請求項４又は５に記載の画像形成装置。
【請求項７】
前記第一中間転写ベルトから前記画像が転写される第一転写位置と、前記第二中間転写ベルトから前記画像が転写される第二転写位置と、の間に配置され、前記記録媒体を前記搬送ベルトに吸着させる電荷を前記搬送ベルトへ付与する電荷付与手段、
を備える請求項１〜６のいずれか１項に記載の画像形成装置。
【請求項８】
前記電荷付与手段は、前記搬送ベルトの前記記録媒体との接触面とは反対側の面に配置されている
請求項７に記載の画像形成装置。
【請求項９】
前記電荷付与手段は、
前記搬送ベルトが、前記記録媒体としての第一記録媒体よりも薄い第二記録媒体を搬送する場合において、前記電荷を前記搬送ベルトへ付与する
請求項７又は８に記載の画像形成装置。
【請求項１０】
前記搬送ベルトが巻き掛けられ、回転駆動する駆動ロールを備え、
前記第一中間転写ベルトから画像が転写される第一転写位置と、前記第二中間転写ベルトから画像が転写される第二転写位置と、の間の距離は、前記駆動ロールの周長の整数倍である
請求項１〜９のいずれか１項に記載の画像形成装置。
【発明の詳細な説明】
【技術分野】
【０００１】
本発明は、画像形成装置に関する。
【背景技術】
【０００２】
特許文献１には、シートを縦方向へ搬送する搬送ベルトと、搬送ベルトにシートを吸着させる吸着ロールと、を備える画像形成装置が開示されている。
【先行技術文献】
【特許文献】
【０００３】
【特許文献１】特開２００９−８６５１７号公報
【発明の概要】
【発明が解決しようとする課題】
【０００４】
ここで、縦方向に延びる搬送経路に沿って配置された搬送ベルトで搬送される記録媒体に対して、第一中間転写ベルト及び第二中間転写ベルトの各々から画像が転写される構成において、単一の中間転写ベルトのみで記録媒体を搬送ベルトとの間に挟む構成では、第一中間転写ベルトと第二中間転写ベルトとは、記録媒体の搬送方向長さを超える距離に離して配置される。このため、第一中間転写ベルトと第二中間転写ベルトとの間の空間が大きくなる。
【０００５】
本発明は、搬送ベルトと単一の中間転写ベルトのみとで記録媒体を挟む構成に比べ、第一中間転写ベルトと第二中間転写ベルトとの間の空間を小さくしながら、記録媒体に複数個所で画像を転写可能な画像形成装置を提供することを目的とする。
【課題を解決するための手段】
【０００６】
第１態様は、縦方向に延びる搬送経路に沿って配置され、記録媒体の片面に接触して該記録媒体を搬送する搬送ベルトと、前記搬送ベルトとで記録媒体を挟み且つ該記録媒体に画像が転写される第一中間転写ベルトと、前記第一中間転写ベルトの上側に配置され、前記第一中間転写ベルトと前記搬送ベルトとで挟まれた状態の記録媒体を該搬送ベルトとで挟み且つ該記録媒体に画像が転写される第二中間転写ベルトと、を備える。
【０００７】
第２態様は、前記第一中間転写ベルトを有する第一画像形成部と、前記第一画像形成部の上側に配置され、前記第二中間転写ベルトを有する第二画像形成部と、を備え、前記第一画像形成部の上端は、前記第二画像形成部と水平方向視にて重なっている。
【０００８】
第３態様では、前記第一画像形成部は、前記第一中間転写ベルトの上側に配置された回路基板を有し、前記回路基板の上端は、前記第二画像形成部と水平方向視にて重なっている。
【０００９】
第４態様では、前記第一中間転写ベルトと、前記第二中間転写ベルトとは、前記搬送ベルトの前記記録媒体との接触面に対して同じ方向へ傾斜している。
【００１０】
第５態様では、前記第一中間転写ベルトの下端及び、前記第二中間転写ベルトの上端は、前記搬送ベルトの上下方向の高さ内に配置されている。
【００１１】
第６態様は、前記第一中間転写ベルト及び前記第二中間転写ベルトの各々が巻き掛けられた一対のロールであって、該中間転写ベルトを介して前記搬送ベルトに対向する第一ロールと、該第一ロールに対する前記搬送ベルト側とは反対側に配置された第二ロールと、で構成される前記一対のロールを備える。
【００１２】
第７態様は、前記第一中間転写ベルトから前記画像が転写される第一転写位置と、前記第二中間転写ベルトから前記画像が転写される第二転写位置と、の間に配置され、前記記録媒体を前記搬送ベルトに吸着させる電荷を前記搬送ベルトへ付与する電荷付与手段、を備える。
【００１３】
第８態様では、前記電荷付与手段は、前記搬送ベルトの前記記録媒体との接触面とは反対側の面に配置されている。
【００１４】
第９態様では、前記電荷付与手段は、前記搬送ベルトが、前記記録媒体としての第一記録媒体よりも薄い第二記録媒体を搬送する場合において、前記電荷を前記搬送ベルトへ付与する。
【００１５】
第１０態様は、前記搬送ベルトが巻き掛けられ、回転駆動する駆動ロールを備え、前記第一中間転写ベルトから画像が転写される第一転写位置と、前記第二中間転写ベルトから画像が転写される第二転写位置と、の間の距離は、前記駆動ロールの周長の整数倍である。
【発明の効果】
【００１６】
第１態様の構成によれば、搬送ベルトと単一の中間転写ベルトのみとで記録媒体を挟む構成に比べ、第一中間転写ベルトと第二中間転写ベルトとの間の空間を小さくしながら、記録媒体に複数個所で画像を転写できる。
【００１７】
第２態様の構成によれば、第一画像形成部の上端が第二画像形成部の下端よりも下側に配置される構成に比べ、第一中間転写ベルトと第二中間転写ベルトとの間の空間を小さくできる。
【００１８】
第３態様の構成によれば、回路基板の上端が、第二画像形成部の下端よりも下側に配置される構成に比べ、第一中間転写ベルトと第二中間転写ベルトとの間の空間を小さくできる。
【００１９】
第４態様の構成によれば、第一中間転写ベルトと第二中間転写ベルトとが接触面に対して異なる方向に傾斜する構成に比べ、第一中間転写ベルトと第二中間転写ベルトとの間の空間を小さくできる。
【００２０】
第５態様の構成によれば、第一中間転写ベルトの下端及び、第二中間転写ベルトの上端が、搬送ベルトの上下方向の高さ外に配置されている構成に比べ、第一中間転写ベルトと第二中間転写ベルトとの間の空間を小さくできる。
【００２１】
第６態様の構成によれば、第一中間転写ベルト及び第二中間転写ベルトの各々が３つ以上のロールに巻き掛けられる構成に比べ、第一中間転写ベルト及び第二中間転写ベルトの各々の高さ方向の寸法を小さくできる。
【００２２】
第７態様の構成によれば、第一転写位置と第二転写位置との間において電荷が付与されていない状態の搬送ベルトが記録媒体を搬送する構成に比べ、第一転写位置を通過した記録媒体が搬送ベルトから離間することを抑制できる。
【００２３】
第８態様の構成によれば、搬送ベルトで搬送される記録媒体に対して非接触で記録媒体を搬送ベルトに吸着させることができる。
【００２４】
第９態様の構成によれば、第一転写位置と第二転写位置との間において電荷が付与されていない状態の搬送ベルトが記録媒体を搬送する構成に比べ、第一記録媒体よりも薄い第二記録媒体において、第一転写位置を通過した第二記録媒体が搬送ベルトから離間することを抑制できる。
【００２５】
第１０態様の構成によれば、第一転写位置と第二転写位置との間の距離が駆動ロールの周長の整数倍と異なる構成に比べ、駆動ロールの偏心による第一転写位置と第二転写位置とでの転写ずれを抑制できる。
【図面の簡単な説明】
【００２６】
【図１】本実施形態に係る画像形成装置の構成を示す概略図である。
【図２】本実施形態に係る搬送ベルト、第一画像形成ユニット、及び第二画像形成ユニットの構成を示す概略図である。
【図３】本実施形態に係る第一画像形成ユニット（第二画像形成ユニット）の構成を示す斜視図である。
【図４】本実施形態に係る電荷付与ロールの動作を制御する制御系を示す概略図である。
【図５】本実施形態に係る搬送ベルト、第一中間転写ベルト、及び第二中間転写ベルトの構成を示す概略図である。
【図６】変形例に係る第二画像形成ユニットの配置を示す概略図である。
【発明を実施するための形態】
【００２７】
以下に、本発明に係る実施形態の一例を図面に基づき説明する。
【００２８】
なお、図中に示す矢印ＵＰは、装置の上方（鉛直上方）を示し、矢印ＤＯは、装置の下方（鉛直下方）を示す。また、図中に示す矢印ＬＨは、装置の左方を示し、矢印ＲＨは、装置の右方を示す。また、図中に示す矢印ＦＲは、装置の前方を示し、矢印ＲＲは、装置の後方を示す。これらの方向は、説明の便宜上、定めた方向であるから、装置構成がこれらの方向に限定されるものではない。
【００２９】
また、装置の上方及び下方に沿った方向を、装置の縦方向と称する場合がある。装置の縦方向は、重力方向でもある。また、装置の左方及び右方に沿った方向を、装置の左右方向と称する場合がある。装置の左右方向は、装置の幅方向（水平方向）でもある。また、装置の前方及び後方に沿った方向を、装置の前後方向と称する場合がある。装置の前後方向は、装置の奥行方向（水平方向）でもある。なお、装置の各方向において、「装置」の語を省略して称する場合がある。すなわち、例えば、「装置の上方」を、単に「上方」と称する場合がある。
【００３０】
また、図中の「○」の中に「×」が記載された記号は、紙面の手前から奥へ向かう矢印を意味する。また、図中の「○」の中に「・」が記載された記号は、紙面の奥から手前へ向かう矢印を意味する。
【００３１】
＜画像形成装置１０＞
本実施形態に係る画像形成装置１０の構成を説明する。図１は、本実施形態に係る画像形成装置１０の構成を示す概略図である。
【００３２】
図１に示される画像形成装置１０は、記録媒体に画像を形成する画像形成装置の一例である。具体的には、画像形成装置１０は、記録媒体Ｐにトナー像（画像の一例）を形成する電子写真式の画像形成装置である。さらに具体的には、図１に示されるように、画像形成装置１０は、装置本体１１と、収容部１２と、排出部１８と、搬送部１３と、画像形成部１４と、定着装置１９と、電荷付与ロール８１、８２と、を備えている。以下、画像形成装置１０の各部（装置本体１１、収容部１２、排出部１８、搬送部１３、画像形成部１４、定着装置１９及び電荷付与ロール８１、８２）について説明する。
【００３３】
（装置本体１１、収容部１２及び排出部１８）
図１に示される装置本体１１は、内部に各構成部品を収容する機能を有している。装置本体１１は、例えば、箱状に形成された筐体で構成されている。
【００３４】
収容部１２は、用紙等の記録媒体Ｐを収容する機能を有している。この収容部１２は、図１に示されるように、装置本体１１の内部における下部に設けられている。本実施形態では、記録媒体Ｐは、収容部１２に積載されることで、収容部１２に収容される。
【００３５】
排出部１８は、トナー像が形成された記録媒体Ｐが排出される機能を有している。この排出部１８は、図１に示されるように、装置本体１１の上部に設けられている。本実施形態では、排出部１８へ向けて排出された記録媒体Ｐが、排出部１８に積載される。
【００３６】
（搬送部１３）
図１に示される搬送部１３は、記録媒体Ｐを搬送する機能を有している。具体的には、搬送部１３は、縦方向に沿って延びる搬送経路３８にて記録媒体Ｐを搬送する機能を有している。さらに具体的には、搬送部１３は、搬送経路３８にて、収容部１２から上方へ向かって排出部１８へ記録媒体Ｐを搬送する機能を有している。
【００３７】
さらに説明すると、図１に示されるように、搬送部１３は、送出ロール３２と、複数の搬送ロール３４と、搬送ベルト２０と、排出ロール３６と、を有している。送出ロール３２は、収容部１２に収容された記録媒体Ｐを送り出すロールである。複数の搬送ロール３４は、送出ロール３２によって送り出された記録媒体Ｐを搬送ベルト２０へ向かって搬送するロールである。
【００３８】
搬送ベルト２０は、縦方向に沿って延びる搬送経路３８に沿って配置されている。この搬送ベルト２０は、記録媒体Ｐの片面に接触して記録媒体Ｐを搬送する機能を有している。
【００３９】
具体的には、搬送ベルト２０は、前後方向に幅を有する帯状であって、環状に形成されている。さらに具体的には、搬送ベルト２０は、例えば、端部を有しない無端状に形成されている。
【００４０】
さらに説明すると、搬送ベルト２０は、一対のロール２２に巻き掛けられている。具体的には、搬送ベルト２０は、上下（縦方向）に間隔をおいて配置された一対のロール２２に張力を付与された状態で巻き掛けられている。さらに具体的には、搬送ベルト２０は、一対のロール２２として、装置本体１１の内部における下部に配置された従動ロール２２Ａと、従動ロール２２Ａの上方側に配置された駆動ロール２２Ｂと、に張力を付与された状態で巻き掛けられている。本実施形態では、駆動ロール２２Ｂが、例えば後述の第二画像形成ユニット４２のモータ６８によって一方向（矢印Ａ方向）へ回転することで、搬送ベルト２０は、一方向（矢印Ｂ方向）へ周回する。
【００４１】
さらに説明すると、搬送ベルト２０は、外周面が記録媒体Ｐの非画像面に接触して記録媒体Ｐを搬送する機能を有している。具体的には、搬送ベルト２０は、外周面のうち左側（後述の第一中間転写ベルト７１及び第二中間転写ベルト７２側）を向く接触面２０Ａで記録媒体Ｐの非画像面に接触して該記録媒体Ｐを搬送する。なお、接触面２０Ａは、具体的には、縦方向に沿って直線状に延びる面である。また、記録媒体Ｐの非画像面とは、トナー像が形成される画像面とは反対側の面である。このように、本実施形態では、搬送ベルト２０は、重力方向の下方側から上方側へ向けて記録媒体Ｐを搬送する構成とされている。
【００４２】
排出ロール３６は、搬送ベルト２０で搬送された後に定着装置１９を通過した記録媒体Ｐを排出部１８へ排出するロールである。
【００４３】
以上のように、搬送部１３では、記録媒体Ｐを上方へ向かって搬送する。したがって、搬送部１３では、上方へ向かう方向が搬送方向とされる。また、搬送部１３において、下方側が搬送方向下流側であり、上方側が搬送方向下流側となる。
【００４４】
（画像形成部１４）
図１に示される画像形成部１４は、トナー画像（画像の一例）を記録媒体Ｐに形成する機能を有している。具体的には、図１に示されるように、画像形成部１４は、第一画像形成ユニット４１と、第二画像形成ユニット４２と、２つの二次転写ロール４８と、を有している。第一画像形成ユニット４１は、第一画像形成部の一例である。第二画像形成ユニット４２は、第二画像形成部の一例である。
【００４５】
以下、第一画像形成ユニット４１、第二画像形成ユニット４２及び２つの二次転写ロール４７、４８の構成について説明する。さらに、画像形成部１４を構成する構成部（構成部品）の配置について説明する。
【００４６】
〔第一画像形成ユニット４１〕
第一画像形成ユニット４１は、図１に示されるように、装置本体１１の内部における下部に設けられている。この第一画像形成ユニット４１は、図２及び図３に示されるように、ユニット本体６０と、４つのトナー像形成部５０と、４つの一次転写ロール７５と、第一中間転写ベルト７１と、モータ６８と、電源基板６２と、制御基板６４と、高圧電源基板６６と、を有している。
【００４７】
具体的には、第一画像形成ユニット４１は、４つのトナー像形成部５０として、イエロー（Ｙ）、マゼンタ（Ｍ）、シアン（Ｃ）、ホワイト（Ｗ）の計４色のトナー像形成部５０を有している。図２に示す（Ｙ）、（Ｍ）、（Ｃ）、（Ｗ）は、上記各色に対応する構成部分を示している。また、各色のトナー像形成部５０は、用いるトナーを除き同様に構成されているので、各色のトナー像形成部５０を代表して、図２ではトナー像形成部５０（Ｙ）の各部に符号を付している。以下、第一画像形成ユニット４１の各部（ユニット本体６０、４つのトナー像形成部５０、４つの一次転写ロール７５、第一中間転写ベルト７１、モータ６８、電源基板６２、制御基板６４、及び高圧電源基板６６）について説明する。
【００４８】
［ユニット本体６０］
図３に示されるユニット本体６０は、第一画像形成ユニット４１の各部を支持する支持体として機能する。ユニット本体６０は、例えば、板金で形成されたフレームで構成されている。ユニット本体６０は、図３に示されるように、例えば、上壁６０Ｕ、前壁６０Ｆ、後壁６０Ｒ及び左壁６０Ｌ（側壁）を有している。なお、図２では、前壁６０Ｆ及び左壁６０Ｌ（側壁）を省略して図示している。
【００４９】
［トナー像形成部５０］
各色のトナー像形成部５０は、図２に示されるように、一方向（矢印Ｅ方向）に回転する感光体ドラム５２（感光体）を有している。さらに、各色のトナー像形成部５０は、帯電装置５３と、露光装置５４と、現像装置５６と、除去装置５８と、を有している。
【００５０】
各色のトナー像形成部５０では、帯電装置５３が感光体ドラム５２を帯電させる。さらに露光装置５４が、帯電装置５３によって帯電された感光体ドラム５２を露光して、感光体ドラム５２に静電潜像を形成する。また、現像装置５６が、露光装置５４によって感光体ドラム５２に形成された静電潜像を現像してトナー像を形成する。除去装置５８は、後述の第一中間転写ベルト７１へのトナー像の転写後に感光体ドラム５２に残留したトナーを除去するブレードで構成されている。
【００５１】
［一次転写ロール７５］
４つの一次転写ロール７５は、図２に示されるように、第一中間転写ベルト７１の内側（内周側）に配置されている。具体的には、４つの一次転写ロール７５の各々は、第一中間転写ベルト７１を介して各色の感光体ドラム５２に対向して配置されている。
【００５２】
各一次転写ロール７５は、各色の感光体ドラム５２のトナー像を、感光体ドラム５２と一次転写ロール７５との間の一次転写位置Ｔ１にて第一中間転写ベルト７１に転写する機能を有している。本実施形態では、一次転写ロール７５と感光体ドラム５２との間に一次転写電界が印加されることで、感光体ドラム５２に形成されたトナー像が、一次転写位置Ｔ１にて第一中間転写ベルト７１に転写される。これにより、各色の感光体ドラム５２のトナー像が第一中間転写ベルト７１に重ねて一次転写される。
【００５３】
［第一中間転写ベルト７１］
第一中間転写ベルト７１は、第一画像形成ユニット４１の各色の感光体ドラム５２から転写されたトナー画像を保持する機能を有している。さらに、第一中間転写ベルト７１は、保持したトナー画像を後述の第一の二次転写位置Ｔ２１へ搬送する機能を有している。具体的には、第一中間転写ベルト７１は、以下のように構成されている。
【００５４】
第一中間転写ベルト７１は、前後方向に幅を有する帯状であって、環状に形成されている。具体的には、第一中間転写ベルト７１は、例えば、端部を有しない無端状に形成されている。
【００５５】
さらに説明すると、第一中間転写ベルト７１は、一対のロール７４に巻き掛けられている。一対のロール７４は、第一中間転写ベルト７１を介して搬送ベルト２０に対向する駆動ロール７４Ａ（第一ロールの一例）と、駆動ロール７４Ａに対する搬送ベルト２０側とは反対側（左側）に配置された従動ロール７４Ｂ（第二ロールの一例）と、で構成されている。そして、第一中間転写ベルト７１は、張力を付与された状態で、駆動ロール７４Ａ及び従動ロール７４Ｂのみに巻き掛けられている。本実施形態では、駆動ロール７４Ａがモータ６８によって一方向（矢印Ｃ方向）へ回転することで、第一中間転写ベルト７１は、一方向（矢印Ｄ方向）へ周回する。なお、駆動ロール７４Ａは、二次転写ロール４８の対向ロール（バックアップロール）として機能する。
【００５６】
第一中間転写ベルト７１は、駆動ロール７４Ａに巻き掛けられた部分において、搬送ベルト２０に接触する接触領域７１Ｎ（ニップ領域）を有している。この接触領域７１Ｎが、第一中間転写ベルト７１のトナー像が記録媒体Ｐに転写される第一の二次転写位置Ｔ２１とされている。また、第一中間転写ベルト７１は、接触領域７１Ｎにおいて搬送ベルト２０との間に記録媒体Ｐを挟んで搬送する。第一の二次転写位置Ｔ２１は第一転写位置の一例である。
【００５７】
なお、第一画像形成ユニット４１は、トナー像の記録媒体Ｐへの転写後に第一中間転写ベルト７１に残留したトナーを除去する除去部７８を有している。除去部７８は、第一中間転写ベルト７１の上方側であって、高圧電源基板６６と搬送ベルト２０との間に配置されたブレードで構成されている。除去部７８の下側には、第一中間転写ベルト７１を介して除去部７８に対向する対向ロール７９が設けられている。
【００５８】
［モータ６８］
モータ６８は、図３に示されるように、第一画像形成ユニット４１におけるユニット本体６０の後壁６０Ｒに設けられている。このモータ６８は、第一画像形成ユニット４１における駆動部分を駆動する駆動源として機能する。具体的には、モータ６８は、例えば、感光体ドラム５２、現像装置５６の現像ロール５６Ａ、第一中間転写ベルト７１が巻き掛けられた駆動ロール７４Ａ等を、ギア列（図示省略）を介して駆動する。さらに、モータ６８の駆動力は、例えば、搬送部１３の送出ロール３２、複数の搬送ロール３４等に伝達されて、送出ロール３２及び複数の搬送ロール３４が回転駆動される。
【００５９】
［電源基板６２、制御基板６４及び高圧電源基板６６］
電源基板６２、制御基板６４及び高圧電源基板６６は、図２及び図３に示されるように、ユニット本体６０の上部に設けられている。電源基板６２は、回路基板の一例である。
【００６０】
電源基板６２は、画像形成装置１０の外部の電源（図示省略）から電線（図示省略）を介して電力が供給されると共に、予め定められた電圧の電力をモータ６８等に供給する機能を有している。電源基板６２は、その上面に電子部品６２Ａを有している。
【００６１】
制御基板６４は、第一画像形成ユニット４１の各部の駆動を制御する機能を有している。この制御基板６４は、プログラムが記録されたＲＯＭ（ロム）やストレージ等で構成された記録部と、プログラムに従って動作するプロセッサと、を有している。制御基板６４は、その上面に電子部品６２Ａを有している。
【００６２】
制御基板６４には、図４に示されるように、操作部としてのユーザインターフェース１７（以下、ＵＩ１７という）が接続されている。ＵＩ１７は、例えばタッチパネル付き液晶表示器により構成される。その画面上には、操作ボタン（仮想ボタン）及び、操作者（ユーザー）に報知する情報が表示される。
【００６３】
ＵＩ１７を通じて、操作者により、操作ボタンが操作されることで、記録媒体Ｐの種類の選択を含む画像形成条件が指定される。なお、操作部としては、例えば、画像形成装置１０に対してネットワークを介して接続されたパーソナルコンピュータ（ＰＣ）などであってもよく、画像形成条件を指定する操作が可能な操作部であればよい。
【００６４】
高圧電源基板６６は、画像形成装置１０の外部の電源（図示省略）から電線（図示省略）を介して電力が供給されると共に、電源基板６２の電圧よりも高電圧の電力を、帯電装置５３、現像装置５６、４つの一次転写ロール７５、二次転写ロール４７、４８、及び電荷付与ロール８１、８２等に供給する機能を有している。高圧電源基板６６は、その下面に電子部品６６Ａを有している。なお、高圧電源基板６６は、電源基板６２から電力が供給される構成であってもよい。
【００６５】
〔第二画像形成ユニット４２〕
第二画像形成ユニット４２は、装置本体１１の内部における上部に設けられている。本実施形態では、第二画像形成ユニット４２は、第一画像形成ユニット４１と同様に構成されている。
【００６６】
具体的には、第二画像形成ユニット４２は、ユニット本体６０と、４つのトナー像形成部５０と、４つの一次転写ロール７５と、第二中間転写ベルト７２と、モータ６８と、電源基板６２と、制御基板６４と、高圧電源基板６６と、を有している。
【００６７】
この第二画像形成ユニット４２は、４つのトナー像形成部５０として、透明（Ｔ）、銀（Ｓ）、金（Ｇ）、ブラック（Ｋ）の計４色のトナー像形成部５０を有している。図２に示す（Ｔ）、（Ｓ）、（Ｇ）、（Ｋ）は、上記各色に対応する構成部分を示している。また、各色のトナー像形成部５０は、用いるトナーを除き同様に構成されているので、各色のトナー像形成部５０を代表して、図２ではトナー像形成部５０（Ｔ）の各部に符号を付している。また、第二画像形成ユニット４２のトナー像形成部５０は、第一画像形成ユニット４１のトナー像形成部５０と同様に構成されているので、説明を省略する。
【００６８】
また、第二画像形成ユニット４２におけるユニット本体６０、４つの一次転写ロール７５、電源基板６２、制御基板６４、及び高圧電源基板６６の各々は、第一画像形成ユニット４１におけるユニット本体６０、４つの一次転写ロール７５、電源基板６２、制御基板６４、及び高圧電源基板６６の各々と同様に構成されているので、説明を省略する。
【００６９】
第二画像形成ユニット４２におけるモータ６８は、例えば、感光体ドラム５２、現像装置５６の現像ロール５６Ａ、第二中間転写ベルト７２が巻き掛けられた駆動ロール７４Ａ等を、ギア列（図示省略）を介して駆動する。さらに、モータ６８の駆動力は、例えば、搬送ベルト２０の駆動ロール２２Ｂ、定着装置１９の後述の加熱ロール９２等に伝達されて、駆動ロール２２Ｂ及び加熱ロール９２が回転駆動される。なお、第二画像形成ユニット４２の各部において、第一画像形成ユニット４１の各部と同一機能を有する部分について、適宜、同一の符号を付している。
【００７０】
［第二中間転写ベルト７２］
第二中間転写ベルト７２は、第一画像形成ユニット４１の第一中間転写ベルト７１と同様に構成されており、駆動ロール７４Ａ（第一ロールの一例）と従動ロール７４Ｂ（第二ロールの一例）とで構成された一対のロール７４のみに巻き掛けられている。この第二中間転写ベルト７２は、第二画像形成ユニット４２の各色の感光体ドラム５２から転写されたトナー画像を保持し、該トナー像を第二の二次転写位置Ｔ２２へ搬送する機能を有している。
【００７１】
具体的には、第二中間転写ベルト７２は、駆動ロール７４Ａに巻き掛けられた部分において、搬送ベルト２０に接触する接触領域７２Ｎ（ニップ領域）を有している。この接触領域７２Ｎが、第二中間転写ベルト７２のトナー像が記録媒体Ｐに転写される第二の二次転写位置Ｔ２２とされている。なお、第二の二次転写位置Ｔ２２は、第二転写位置の一例である。
【００７２】
また、第二中間転写ベルト７２は、第一中間転写ベルト７１と搬送ベルト２０とで挟まれた状態の記録媒体Ｐを、接触領域７２Ｎにおいて搬送ベルト２０とで挟む機能を有している。換言すれば、第二中間転写ベルト７２は、第一中間転写ベルト７１と同時に記録媒体Ｐを搬送ベルト２０とで挟む機能を有している。
【００７３】
具体的には、本実施形態では、記録媒体Ｐは、搬送ベルト２０で搬送される際に、最初に、第一中間転写ベルト７１と搬送ベルト２０とで挟まれ且つ、第二中間転写ベルト７２と搬送ベルト２０とでは挟まれていない状態となる。そして、記録媒体Ｐは、搬送ベルト２０で搬送される過程で、第一中間転写ベルト７１と搬送ベルト２０とで挟まれ且つ、第二中間転写ベルト７２と搬送ベルト２０とで挟まれる状態となる。さらに、記録媒体Ｐは、搬送ベルト２０で搬送される過程で、第一中間転写ベルト７１と搬送ベルト２０とでは挟まれず、且つ、第二中間転写ベルト７２と搬送ベルト２０とで挟まれる状態となる。さらに換言すれば、記録媒体Ｐの後端が、第一の二次転写位置Ｔ２１を抜ける前に、記録媒体Ｐの先端が第二の二次転写位置Ｔ２２に進入する。
【００７４】
本実施形態では、標準サイズ（例えば、Ａ４サイズ）の記録媒体Ｐが第一中間転写ベルト７１と搬送ベルト２０とで挟まれた状態において、該記録媒体Ｐを第二中間転写ベルト７２と搬送ベルト２０とが挟むようになっている。標準サイズは、最頻のサイズともいえる。なお、画像形成装置１０で搬送可能な最少サイズを含む全てのサイズの記録媒体Ｐが、第一中間転写ベルト７１と搬送ベルト２０とで挟まれた状態において、該記録媒体Ｐを第二中間転写ベルト７２と搬送ベルト２０とが挟むようになっていてもよい。さらに言えば、本実施形態では、少なくとも、画像形成装置１０で搬送可能な最大サイズの記録媒体Ｐが、第一中間転写ベルト７１と搬送ベルト２０とで挟まれた状態において、該記録媒体Ｐを第二中間転写ベルト７２と搬送ベルト２０とが挟むようになっていればよい。
【００７５】
〔二次転写ロール４７、４８〕
２つの二次転写ロール４７、４８の各々は、搬送ベルト２０の内側（内周側）に配置されている。具体的には、２つの二次転写ロール４７、４８の各々は、搬送ベルト２０を介して第一中間転写ベルト７１及び第二中間転写ベルト７２の各々に対向して配置されている。さらに具体的には、二次転写ロール４７は、接触領域７１Ｎ（第一の二次転写位置Ｔ２１）において、搬送ベルト２０及び第一中間転写ベルト７１を、第一画像形成ユニット４１の駆動ロール７４Ａとで挟んでいる。また、二次転写ロール４８は、接触領域７２Ｎ（第二の二次転写位置Ｔ２２）において、搬送ベルト２０及びび第二中間転写ベルト７２を、第二画像形成ユニット４２の駆動ロール７４Ａとで挟んでいる。
【００７６】
２つの二次転写ロール４７、４８の各々は、第一中間転写ベルト７１及び第二中間転写ベルト７２の各々に転写されたトナー画像を記録媒体Ｐに転写する機能を有している。本実施形態では、二次転写ロール４７、４８の各々と、各駆動ロール７４Ａとの間に二次転写電界が印加されることで、第一中間転写ベルト７１及び第二中間転写ベルト７２の各々のトナー像が、第一の二次転写位置Ｔ２１及び第二の二次転写位置Ｔ２２の各々にて記録媒体Ｐへ二次転写される。なお、本実施形態では、二次転写ロール４８に印加される印加電圧は、例えば負極性の転写電圧である。
【００７７】
（定着装置１９）
図１に示される定着装置１９は、記録媒体に転写された画像を記録媒体に定着する定着手段として機能する。具体的には、定着装置１９は、二次転写ロール４８によって記録媒体Ｐに転写されたトナー像を該記録媒体Ｐに定着する装置である。さらに具体的には、定着装置１９は、図１に示されるように、加熱部材としての加熱ロール９２と、加圧部材としての加圧ロール９４と、を有している。定着装置１９では、加熱ロール９２及び加圧ロール９４が記録媒体Ｐを挟んで搬送しながら、該記録媒体Ｐを加熱及び加圧することで、記録媒体Ｐに形成されたトナー像を該記録媒体Ｐに定着する。
【００７８】
（画像形成部１４の構成部の配置）
画像形成部１４の構成部の配置について説明する。以下では、特に、第一画像形成ユニット４１及び第一画像形成ユニット４１の各部と、第二画像形成ユニット４２及び第二画像形成ユニット４２の各部と、の配置について説明する。
【００７９】
図１に示されるように、第一画像形成ユニット４１は、具体的には、収容部１２における上側であって、搬送ベルト２０の左側に配置されている。第二画像形成ユニット４２は、第一画像形成ユニット４１の上側であって、搬送ベルト２０の左側に配置されている。具体的には、第一画像形成ユニット４１と第二画像形成ユニット４２とは、縦方向に重なって配置されている。換言すれば、縦方向に見たときに、第一画像形成ユニット４１の少なくとも一部が、第二画像形成ユニット４２の少なくとも一部と重なって配置されている。
【００８０】
さらに説明すると、第二画像形成ユニット４２の一部である第二中間転写ベルト７２が、第一画像形成ユニット４１の一部である第一中間転写ベルト７１の上側に、第一中間転写ベルト７１に縦方向に重なるように配置されている。
【００８１】
また、本実施形態では、前述のように、標準サイズ（例えば、Ａ４サイズ）の記録媒体Ｐが第一中間転写ベルト７１と搬送ベルト２０とで挟まれた状態において、該記録媒体Ｐを第二中間転写ベルト７２と搬送ベルト２０とが挟むようになっている。
【００８２】
換言すれば、第一の二次転写位置Ｔ２１と第二の二次転写位置Ｔ２２との距離ＬＡ（図２参照）が、記録媒体Ｐの標準サイズの搬送方向に沿った長さよりも短くされるように、第一中間転写ベルト７１及び第二中間転写ベルト７２が配置されている。
【００８３】
また、第一の二次転写位置Ｔ２１と第二の二次転写位置Ｔ２２との距離ＬＡは、搬送ベルト２０が巻き掛けられた駆動ロール２２Ｂの周長Ｓの整数倍（ｎ倍）とされている。具体的には、ＬＡ＝ｎＳ±α（０≦α≦Ｓ／１０）を満たせばよい。
【００８４】
第一の二次転写位置Ｔ２１から搬送ベルト２０の接触面２０Ａの下端までの距離Ｌ１は、第二の二次転写位置Ｔ２２から搬送ベルト２０の接触面２０Ａの下端までの距離Ｌ５よりも長くなっている。
【００８５】
第一画像形成ユニット４１の上端は、第二画像形成ユニット４２と、水平方向視（左右方向視）にて重なっている。換言すれば、第一画像形成ユニット４１の上端は、第二画像形成ユニット４２の下端よりも上側（高い位置）に配置されている。
【００８６】
具体的には、第一画像形成ユニット４１は、電源基板６２を上端に有しており、電源基板６２の上端が、第二画像形成ユニット４２と、水平方向視にて重なっている。さらに具体的には、電源基板６２は、電子部品６２Ａを上端に有しており、電子部品６２Ａが、第二画像形成ユニット４２と、水平方向視にて重なっている。換言すれば、第一画像形成ユニット４１の電源基板６２の電子部品６２Ａは、第二画像形成ユニット４２の下端よりも上側（高い位置）に配置されている。なお、図２では、第一画像形成ユニット４１の上端（電子部品６２Ａの上端）から左右方向（水平方向）に延びる線を符号Ｈ１にて示している。
【００８７】
第一中間転写ベルト７１と第二中間転写ベルト７２とは、搬送ベルト２０の接触面２０Ａに対して同じ方向へ傾斜している。具体的には、図５に示されるように、第一中間転写ベルト７１及び第二中間転写ベルト７２は、共に、搬送ベルト２０の接触面２０Ａに対する角度θが鈍角となるように傾斜している。さらに具体的には、第一中間転写ベルト７１及び第二中間転写ベルト７２は、共に、左斜め上側に傾斜している。さらに具体的には、第一中間転写ベルト７１及び第二中間転写ベルト７２は、同じ角度で傾斜している。
【００８８】
ここで、第一中間転写ベルト７１と第二中間転写ベルト７２の角度の基準は、例えば、各感光体ドラム５２が接触する接触面７１Ａ、７２Ａ（下面）における角度とする。
【００８９】
なお、第一中間転写ベルト７１及び第二中間転写ベルト７２は、接触面７１Ａ、７２Ａに対する上側に配置され各感光体ドラム５２が接触しない非接触面７１Ｂ、７２Ｂは、接触面７１Ａ、７２Ａに沿って配置されている。したがって、非接触面７１Ｂ、７２Ｂを基準とした場合でも、接触面７１Ａ、７２Ａを基準とした場合の第一中間転写ベルト７１及び第二中間転写ベルト７２の角度と同じ角度として、第一中間転写ベルト７１及び第二中間転写ベルト７２の角度が把握される。
【００９０】
さらに、第一中間転写ベルト７１及び第二中間転写ベルト７２の駆動ロール７４Ａの回転軸と従動ロール７４Ｂの回転軸とを結んだ線７０Ｌも、接触面７１Ａ、７２Ａに沿って配置されている。したがって、線７０Ｌを基準とした場合でも、接触面７１Ａ、７２Ａを基準とした場合の第一中間転写ベルト７１及び第二中間転写ベルト７２の角度と同じ角度として、第一中間転写ベルト７１及び第二中間転写ベルト７２の角度が把握される。
【００９１】
第一中間転写ベルト７１は、搬送ベルト２０の下端よりも上側に配置されている。一方、第二中間転写ベルト７２の上端は、搬送ベルト２０の上端の上側に配置されている。具体的には、第二中間転写ベルト７２のうち、従動ロール７４Ｂに巻き掛けられた部分における上端が、搬送ベルト２０のうち、駆動ロール２２Ｂに巻き掛けられた部分における上端よりも上側（高い位置）に配置されている。なお、図２では、搬送ベルト２０の上端から左右方向（水平方向）に延びる線を符号Ｈ２にて示している。また、図１及び図２では、第二中間転写ベルト７２の上端を７０Ｕにて示している。
【００９２】
さらに、第二中間転写ベルト７２の上端は、図１に示されるように、定着装置１９の上端よりも下側に配置されている。具体的には、第二中間転写ベルト７２のうち、従動ロール７４Ｂに巻き掛けられた部分における上端は、定着装置１９の加熱ロール９２及び加圧ロール９４よりも下側（低い位置）に配置されている。
【００９３】
（電荷付与ロール８１、８２）
本実施形態において、第一中間転写ベルト７１及び第二中間転写ベルト７２の接触領域７１Ｎ及び７２Ｎにおいて搬送ベルト２０と接触する。第一中間転写ベルト７１と搬送ベルト２０とはそれぞれベルト部材であるため互いに変形しやすいことから、接触領域７１Ｎを通過した記録媒体Ｐが第一中間転写ベルト７１に巻き付くような姿勢で排出されやすくなる。したがって、通過した記録媒体Ｐを搬送ベルト２０から離間することを低減する必要がある。図２に示される電荷付与ロール８１、８２は、記録媒体Ｐを搬送ベルト２０に吸着させる電荷を搬送ベルト２０へ付与する電荷付与手段の一例である。この電荷付与ロール８１、８２は、第一の二次転写位置Ｔ２１と第二の二次転写位置Ｔ２２との間に配置されている。具体的には、電荷付与ロール８１は、第一の二次転写位置Ｔ２１と第二の二次転写位置Ｔ２２との間における下側に配置されている。電荷付与ロール８２は、第一の二次転写位置Ｔ２１と第二の二次転写位置Ｔ２２との間における上側に配置されている。
【００９４】
さらに、電荷付与ロール８１と第一の二次転写位置Ｔ２１と間の距離Ｌ２は、電荷付与ロール８２と第二の二次転写位置Ｔ２２と間の距離Ｌ４よりも短くなっている。換言すれば、電荷付与ロール８１、８２は、第二の二次転写位置Ｔ２２よりも第一の二次転写位置Ｔ２１に近接しているといえる。また、距離Ｌ２は、第一の二次転写位置Ｔ２１と第二の二次転写位置Ｔ２２との距離Ｌ３よりも短くなっている。なお、距離Ｌ３は、距離Ｌ４と同じ距離とされている。
【００９５】
さらに説明すると、電荷付与ロール８１、８２は、搬送ベルト２０の内側（内周側）に配置されている。具体的には、電荷付与ロール８１、８２は、搬送ベルト２０の接触面２０Ａとは反対側の反対面２０Ｂ（内周面）に配置されている。換言すれば、電荷付与ロール８１、８２は、反対面２０Ｂに接触している。電荷付与ロール８１、８２は、搬送ベルト２０の反対面２０Ｂに接触することで、搬送ベルト２０に従動して回転する。すなわち、電荷付与ロール８１、８２は、搬送ベルト２０に従動回転する従動ロールともいえる。
【００９６】
そして、電荷付与ロール８１、８２は、例えば、第一画像形成ユニット４１の高圧電源基板６６から電力が供給されることで、二次転写ロール４７との間に電圧が印加される。これにより、電荷付与ロール８１、８２は、第一の二次転写位置Ｔ２１と第二の二次転写位置Ｔ２２との間で、記録媒体Ｐを搬送ベルト２０に吸着させる電荷を搬送ベルト２０へ付与し、この電荷による静電力によって記録媒体Ｐが搬送ベルト２０に吸着される。
【００９７】
ここで、本実施形態では、第一画像形成ユニット４１の制御基板６４に接続されたＵＩ１７を通じて、選択された記録媒体Ｐの種類が、基準厚さ（例えば、０．０８ｍｍ）未満の記録媒体Ｐである場合に、制御基板６４は高圧電源基板６６から電力が供給させる。換言すれば、搬送ベルト２０が、基準厚さの記録媒体Ｐよりも薄い記録媒体Ｐを搬送する場合において、記録媒体Ｐを搬送ベルト２０に吸着させる電荷を搬送ベルト２０へ付与する。また、搬送ベルト２０が、基準厚さ以上の記録媒体を搬送する場合において、記録媒体Ｐを搬送ベルト２０に吸着させる電荷が搬送ベルト２０へ付与されない。
【００９８】
なお、基準厚さの記録媒体Ｐは、第一記録媒体の一例であり、基準厚さ未満の記録媒体Ｐは、第二記録媒体の一例である。また、基準厚さの記録媒体Ｐを、普通紙としてもよい。また、本実施形態では、記録媒体Ｐの薄さの基準として、記録媒体の厚み（ｍｍ）を用いたが、例えば、記録媒体Ｐの坪量（ｇ／ｍ２）を用いてもよい。そして、本実施形態においては、電荷付与ロール８１、８２に印加される電圧は、記録媒体Ｐの種別により正極の電圧または負極の電圧のいずれか一方が印加される。
【００９９】
また、本実施形態では、第一画像形成ユニット４１の高圧電源基板６６から電荷付与ロール８１、８２へ電力が供給される構成とされていたが、これに限られない。例えば、電荷付与ロール８１、８２へ電力を供給する電源としては、第二画像形成ユニット４２の高圧電源基板６６であってもよい。第一画像形成ユニット４１の高圧電源基板６６が、電荷付与ロール８１、８２の一方に電力を供給し、第二画像形成ユニット４２の高圧電源基板６６が電荷付与ロール８１、８２の他方に電力を供給する構成であってもよい。さらに、第一画像形成ユニット４１の高圧電源基板６６及び第二画像形成ユニット４２の高圧電源基板６６とは別に、装置本体１１に設けられた電源から電荷付与ロール８１、８２へ電力を供給してもよい。
【０１００】
また、電荷付与ロール８１、８２は、搬送ベルト２０による記録媒体Ｐの搬送を補助する機能を有するので、搬送部１３の一部を構成する構成部分と把握してもよい。
【０１０１】
＜本実施形態に係る作用＞
次に、本実施形態に係る作用を説明する。
【０１０２】
本実施形態に係る画像形成装置によれば、第一の二次転写位置Ｔ２１において第一中間転写ベルト７１と搬送ベルト２０とが記録媒体Ｐを挟んだ状態において、該記録媒体Ｐを第二中間転写ベルト７２と搬送ベルト２０とが第二の二次転写位置Ｔ２２で挟む。
【０１０３】
ここで、第一中間転写ベルト７１及び第二中間転写ベルト７２を有する構成において、単一の中間転写ベルトのみ（第一中間転写ベルト７１及び第二中間転写ベルト７２の一方のみ）で記録媒体Ｐを搬送ベルト２０との間に挟む構成（第一構成）では、第一中間転写ベルト７１と第二中間転写ベルト７２とは、記録媒体Ｐの搬送方向長さを超える距離に離して配置される。このため、第一中間転写ベルト７１と第二中間転写ベルト７２との間の空間が大きくなる。
【０１０４】
これに対して、本実施形態では、前述のように、第一中間転写ベルト７１と搬送ベルト２０とで挟んだ状態の記録媒体Ｐを、第二中間転写ベルト７２と搬送ベルト２０とで挟むので、第一構成に比べ、第一中間転写ベルト７１と第二中間転写ベルト７２との間の空間を小さくしながら、記録媒体Ｐに複数個所でトナー像が転写可能な構成となる。換言すれば、本実施形態の構成によれば、第一構成に比べ、第一中間転写ベルト７１と第二中間転写ベルト７２との間の距離が短くなるといえる。さらに換言すれば、本実施形態の構成によれば、第一構成に比べ、第一の二次転写位置Ｔ２１と第二の二次転写位置Ｔ２２との間の距離が短くなるともいえる。
【０１０５】
また、本実施形態では、第一画像形成ユニット４１の上端は、第二画像形成ユニット４２と、水平方向視（左右方向視）にて重なっている。このため、第一画像形成ユニット４１の上端が第二画像形成ユニット４２の下端よりも下側に配置される構成（第二構成）に比べ、第一中間転写ベルト７１と第二中間転写ベルト７２との距離を短くなる。換言すれば、第二構成に比べ、第一中間転写ベルト７１と第二中間転写ベルト７２との間の空間が小さくなる。
【０１０６】
また、本実施形態では、第一画像形成ユニット４１は、電源基板６２の上端が、第二画像形成ユニット４２と、水平方向視にて重なっている。このため、電源基板６２の上端が、第二画像形成ユニット４２の下端よりも下側に配置される構成（第三構成）に比べ、第一中間転写ベルト７１と第二中間転写ベルト７２との距離を短くなる。換言すれば、第三構成に比べ、第一中間転写ベルト７１と第二中間転写ベルト７２との間の空間が小さくなる。
【０１０７】
また、本実施形態では、第一中間転写ベルト７１と第二中間転写ベルト７２とは、搬送ベルト２０の接触面２０Ａに対して同じ方向へ傾斜している。
【０１０８】
ここで、第一中間転写ベルト７１と第二中間転写ベルト７２とが搬送ベルト２０の接触面２０Ａに対して異なる方向へ傾斜する構成（第四構成）では、第一中間転写ベルト７１と第二中間転写ベルト７２との間のデッドスペースが生じやすい。例えば、第一中間転写ベルト７１が左斜め上側に傾斜しているのに対して、第二中間転写ベルト７２が右斜め上側に傾斜する構成では、第一中間転写ベルト７１と第二中間転写ベルト７２との間の右側部分にデッドスペースが生じやすい。また、例えば、第一中間転写ベルト７１が右斜め上側に傾斜しているのに対して、第二中間転写ベルト７２が左斜め上側に傾斜する構成では、第一中間転写ベルト７１と第二中間転写ベルト７２との間の左側部分にデッドスペースが生じやすい。このように、第四構成では、デッドスペースが生じやすく、第一中間転写ベルト７１と第二中間転写ベルト７２との間の空間が大きくなりやすい。
【０１０９】
これに対して、本実施形態では、第一中間転写ベルト７１と第二中間転写ベルト７２とは、搬送ベルト２０の接触面２０Ａに対して同じ方向へ傾斜しているので、第四構成に比べ、デッドスペースが生じにくく、第一中間転写ベルト７１と第二中間転写ベルト７２との間の空間が小さくなる。
【０１１０】
また、本実施形態では、第一中間転写ベルト７１及び第二中間転写ベルト７２の各々は、第一中間転写ベルト７１を介して搬送ベルト２０に対向する駆動ロール７４Ａと、駆動ロール７４Ａに対する搬送ベルト２０側とは反対側に配置された従動ロール７４Ｂと、に巻き掛けられている。
【０１１１】
このため、第一中間転写ベルト７１及び第二中間転写ベルト７２の各々が３つ以上のロールに巻き掛けられる構成に比べ、第一中間転写ベルト７１及び第二中間転写ベルト７２の各々の高さ方向の寸法が小さくなる。特に、本実施形態では、第一中間転写ベルト７１及び第二中間転写ベルト７２が斜めに配置されているため、第一中間転写ベルト７１及び第二中間転写ベルト７２が水平に配置される場合に比べ、第一中間転写ベルト７１及び第二中間転写ベルト７２の高さ方向の寸法が大きくなりやすい。このため、駆動ロール７４Ａと従動ロール７４Ｂとに巻き掛けることで、第一中間転写ベルト７１及び第二中間転写ベルト７２の各々の高さ方向の寸法が小さくなる構成が有効である。
【０１１２】
また、本実施形態では、電荷付与ロール８１、８２は、第一の二次転写位置Ｔ２１と第二の二次転写位置Ｔ２２との間で、記録媒体Ｐを搬送ベルト２０に吸着させる電荷を搬送ベルト２０へ付与し、この電荷による静電力によって記録媒体Ｐが搬送ベルト２０に吸着される。
【０１１３】
このため、第一の二次転写位置Ｔ２１と第二の二次転写位置Ｔ２２との間において電荷が付与されていない状態の搬送ベルト２０が記録媒体Ｐを搬送する構成（第五構成）に比べ、第一の二次転写位置Ｔ２１を通過した記録媒体Ｐが搬送ベルト２０から離間することが抑制される。
【０１１４】
特に、本実施形態では、搬送ベルト２０が、基準厚さの記録媒体Ｐよりも薄い記録媒体Ｐを搬送する場合において、記録媒体Ｐを搬送ベルト２０に吸着させる電荷を搬送ベルト２０へ付与するので、第五構成に比べ、基準厚さの記録媒体Ｐよりも薄い記録媒体Ｐにおいて、第一の二次転写位置Ｔ２１を通過した記録媒体Ｐが搬送ベルト２０から離間することが抑制される。特に、基準厚さの記録媒体Ｐよりも薄い記録媒体Ｐは、基準厚さの記録媒体Ｐに比べ、搬送ベルト２０から剥離しやすいため、本構成が有効である。
【０１１５】
また、本実施形態では、電荷付与ロール８１、８２は、搬送ベルト２０の接触面２０Ａとは反対側の反対面２０Ｂ（内周面）に配置されている。このため、搬送ベルト２０で搬送される記録媒体Ｐに対して非接触で記録媒体Ｐが搬送ベルト２０に吸着される。
【０１１６】
また、本実施形態では、第一の二次転写位置Ｔ２１と第二の二次転写位置Ｔ２２との距離ＬＡは、搬送ベルト２０が巻き掛けられた駆動ロール２２Ｂの周長Ｓの整数倍（ｎ倍）とされている。
【０１１７】
このため、第一の二次転写位置Ｔ２１と第二の二次転写位置Ｔ２２との間の距離が駆動ロール２２Ｂの周長の整数倍と異なる構成（第六構成）に比べ、駆動ロール２２Ｂの偏心による搬送ベルト２０の速度変動が、第一の二次転写位置Ｔ２１と第二の二次転写位置Ｔ２２とにおいて、同じ周期で生じやすい。これにより、第六構成に比べ、駆動ロール２２Ｂの偏心による第一の二次転写位置Ｔ２１と第二の二次転写位置Ｔ２２とでの転写ずれが抑制される。
【０１１８】
＜第一中間転写ベルト７１及び第二中間転写ベルト７２の配置の変形例＞
本実施形態では、第一中間転写ベルト７１は、搬送ベルト２０の下端よりも上側に配置され、第二中間転写ベルト７２の上端は、搬送ベルト２０の上端の上側に配置されていたが、これに限られない。
【０１１９】
図６に示されるように、例えば、第一中間転写ベルト７１の下端及び、第二中間転写ベルト７２の上端は、搬送ベルト２０の上下方向の高さ内に配置されている構成であってもよい。
【０１２０】
すなわち、第一中間転写ベルト７１が、搬送ベルト２０の下端よりも上側に配置され、第二中間転写ベルト７２の上端が、搬送ベルト２０の上端の下側に配置されていてもよい。なお、図６では、搬送ベルト２０の上端から左右方向（水平方向）に延びる線を符号Ｈ２にて示している。また、図６では、第二中間転写ベルト７２の上端を７０Ｕにて示している。
【０１２１】
本変形例によれば、第一中間転写ベルト７１の下端及び、第二中間転写ベルト７２の上端が、搬送ベルト２０の上下方向の高さ外に配置されている構成（第七構成）に比べ、第一中間転写ベルト７１と第二中間転写ベルト７２との距離を短くなる。換言すれば、第七構成に比べ、第一中間転写ベルト７１と第二中間転写ベルト７２との間の空間が小さくなる。なお、本変形例では、図２に示す構成よりも、第一画像形成ユニット４１の上端が、第二画像形成ユニット４２と、水平方向視（左右方向視）にて重なる量が多くなる。
【０１２２】
＜他の変形例＞
本実施形態では、第一画像形成ユニット４１の上端は、第二画像形成ユニット４２と、水平方向視（左右方向視）にて重なっていたが、これに限られない。例えば、第一画像形成ユニット４１の上端が第二画像形成ユニット４２の下端よりも下側に配置される構成であってもよい。
【０１２３】
また、本実施形態では、第一画像形成ユニット４１は、電源基板６２の上端が、第二画像形成ユニット４２と、水平方向視にて重なっていたが、これに限られない。例えば、電源基板６２の上端が、第二画像形成ユニット４２の下端よりも下側に配置される構成であってもよい。
【０１２４】
また、本実施形態では、第一中間転写ベルト７１と第二中間転写ベルト７２とは、搬送ベルト２０の接触面２０Ａに対して同じ角度で傾斜していたが、これに限られない。例えば、第一中間転写ベルト７１と第二中間転写ベルト７２とは、搬送ベルト２０の接触面２０Ａに対して異なる角度で傾斜していてもよい。
【０１２５】
また、本実施形態では、第一中間転写ベルト７１と第二中間転写ベルト７２とは、搬送ベルト２０の接触面２０Ａに対して同じ方向へ傾斜していたが、これに限られない。例えば、第一中間転写ベルト７１と第二中間転写ベルト７２とが搬送ベルト２０の接触面２０Ａに対して異なる方向へ傾斜する構成であってもよい。さらに、第一中間転写ベルト７１及び第二中間転写ベルト７２の少なくとも一方は、水平方向に配置されていてもよい。
【０１２６】
また、本実施形態では、電荷付与ロール８１、８２は、第一の二次転写位置Ｔ２１と第二の二次転写位置Ｔ２２との間で、記録媒体Ｐを搬送ベルト２０に吸着させる電荷を搬送ベルト２０へ付与する構成とされていたが、これに限られない。例えば、第一の二次転写位置Ｔ２１と第二の二次転写位置Ｔ２２との間において電荷が付与されていない状態の搬送ベルト２０が記録媒体Ｐを搬送する構成であってもよい。
【０１２７】
また、本実施形態では、搬送ベルト２０が、基準厚さの記録媒体Ｐよりも薄い記録媒体Ｐを搬送する場合において、記録媒体Ｐを搬送ベルト２０に吸着させる電荷を搬送ベルト２０へ付与していたが、これに限られない。例えば、記録媒体Ｐの厚さに関わらず、記録媒体Ｐを搬送ベルト２０に吸着させる電荷を搬送ベルト２０へ付与する構成とされていてもよい。
【０１２８】
また、本実施形態では、電荷付与ロール８１、８２と二次転写ロール４７との間に電圧が印加される構成とされていたが、これに限られない。例えば、電荷付与ロール８１と電荷付与ロール８２との間に電圧が印加される構成とされていてもよい。
【０１２９】
また、本実施形態では、第一中間転写ベルト７１及び第二中間転写ベルト７２の各々は、駆動ロール７４Ａと従動ロール７４Ｂとに巻き掛けられていたが、これに限られない。例えば、第一中間転写ベルト７１及び第二中間転写ベルト７２の各々が３つ以上のロールに巻き掛けられる構成であってもよい。
【０１３０】
また、本実施形態では、第一の二次転写位置Ｔ２１と第二の二次転写位置Ｔ２２との距離ＬＡは、搬送ベルト２０が巻き掛けられた駆動ロール２２Ｂの周長Ｓの整数倍（ｎ倍）とされていたが、これに限られない。例えば、第一の二次転写位置Ｔ２１と第二の二次転写位置Ｔ２２との間の距離が駆動ロール２２Ｂの周長の整数倍と異なる構成であってもよい。
【０１３１】
また、本実施形態では、搬送ベルト２０が上方側へ記録媒体Ｐを搬送する構成であったが、これに限られない。例えば、搬送ベルト２０は、下方側へ向かって記録媒体Ｐを搬送する構成であってもよく、記録媒体Ｐを縦方向に搬送する構成であればよい。
【０１３２】
また、本実施形態では、第一画像形成ユニット４１が、４つのトナー像形成部５０として、イエロー（Ｙ）、マゼンタ（Ｍ）、シアン（Ｃ）、ホワイト（Ｗ）の計４色のトナー像形成部５０を有し、第二画像形成ユニット４２が、４つのトナー像形成部５０として、透明（Ｔ）、銀（Ｓ）、金（Ｇ）、ブラック（Ｋ）の計４色のトナー像形成部５０を有していたが、これに限られない。例えば、第一画像形成ユニット４１及び第二画像形成ユニット４２の各々が有する色のトナー像形成部５０を一部または全部を入れ替えて配置してもよくし、上記の色以外の色のトナー像形成部５０を有していてもよい。
【０１３３】
また、本実施形態では、第一画像形成ユニット４１及び第二画像形成ユニット４２の各々は、４つのトナー像形成部５０を有していたが、これに限られない。第一画像形成ユニット４１及び第二画像形成ユニット４２の各々が有するトナー像形成部５０は、２つ又は３つであってもよいし、５つ以上であってもよい。すなわち、第一画像形成ユニット４１及び第二画像形成ユニット４２の各々は、複数のトナー像形成部５０を有する構成であればよい。
【０１３４】
また、本実施形態では、画像形成部１４は、２つの画像形成ユニット（第一画像形成ユニット４１及び第二画像形成ユニット４２）を有していたが、これに限られない。画像形成部１４は、さらに、第三画像形成ユニットを有していてもよく、画像形成部１４は、３つ以上の画像形成ユニットを有する構成であってもよい。
【０１３５】
また、本実施形態では、画像形成部１４は、２つの中間転写ベルト（第一中間転写ベルト７１及び第二中間転写ベルト７２）を有していたが、これに限られない。画像形成部１４は、さらに、第三中間転写ベルトを有していてもよく、画像形成部１４は、３つ以上の中間転写ベルトを有する構成であってもよい。
【０１３６】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１３７】
１０   画像形成装置
２０   搬送ベルト
２０Ａ 接触面
２２Ｂ 駆動ロール
３８   搬送経路
４１   第一画像形成ユニット（第一画像形成部の一例）
４２   第二画像形成ユニット（第二画像形成部の一例）
６２   電源基板（回路基板の一例）
７１   第一中間転写ベルト
７２   第二中間転写ベルト
７４   一対のロール
７４Ａ 駆動ロール（第一ロールの一例）
７４Ｂ 従動ロール（第二ロールの一例）
８１   電荷付与ロール（電荷付与手段の一例）
８２   電荷付与ロール（電荷付与手段の一例）
Ｐ     記録媒体
Ｔ２１ 第一の二次転写位置（第一転写位置の一例）
Ｔ２２ 第二の二次転写位置（第二転写位置の一例）
【図１】
2020046554.tif 000003
【図２】
2020046554.tif 000004
【図３】
2020046554.tif 000005
【図４】
2020046554.tif 000006
【図５】
2020046554.tif 000007
【図６】
2020046554.tif 000008